(57)【要約】【課題】人の身長程度の幅広のソファーをベースとして、組み合わせ方によってベッド、としても使える多目的家具を提供する。【解決手段】座板７の下部の両側面と背面側を側板８で覆ってコの字状を成す基台３とし、該基台３の内側左右の側板８下部に補強棒９を取り付けて成る内側中ほどに仕切板１５を取り付けるとともに、その仕切板１５前部と、基台３内側両面の側板８前部のそれぞれに引き出し支持板１８を取り付けた基台３を形成し、該基台３の長手方向の両側外面の側板８の手前と後に肘掛け５付き支持板１０を取り付けるとともに、前記支持板１０と対向する支持板１０に、複数本の支軸板１２上端部に背板４を設けた背板体１４を形成し、該背板体１４を、前記する左右の支持板１０に取り付けるとともに、前記基台３の下部開放部左右に、下面前部にキャスタ１７ーを取り付けた二つの引き出し６を出し入れ自在に収めて成る多目的家具１とする。【選択図】図１
2012081234.tif 000002
【特許請求の範囲】
【請求項１】
人が余裕を持って横たわれる長さと幅を有する座板の下部の両側面と背面側を側板で覆ってコの字状を成す基台とし、該基台の内側左右の側板下部に補強棒を取り付けて成る内側中ほどに仕切板を取り付けるとともに、その仕切板前部と、基台内側両面の側板前部のそれぞれに引き出し支持板を取り付けて成る基台を形成し、該基台の長手方向の両側外面の側板の手前と後に肘掛け付き支持板を取り付けるとともに、前記支持板と対向する側の支持板に、複数本の支軸板上端部に背板を設けた背板体を形成し、該背板体を、前記する左右の支持板に取り付けるとともに、前記基台の下部開放部左右に、下面前部にキャスターを取り付けた二つの引き出しを出し入れ自在に収めて成る構成を特徴とする多目的家具。
【請求項２】
前記する引き出しの両側面と、それに対向する基台の側板内側と仕切板の左右に一組の引き出しレールを取り付けて成る請求項１に記載する多目的家具。
【請求項３】
前記する複数本の支軸板を、連結棒で繋いで成る請求項１又は請求項２に記載する多目的家具。
【発明の詳細な説明】
【技術分野】
【０００１】  本発明は、長尺のソファーをベースとして、組み合わせ方によってベッドやＬ字型ソファーやテーブルを備えたソファーとして多用途に使える多目的家具に関する。
【背景技術】
【０００２】  従来、簡単な操作で、ベット、テーブル、又は背もたれのある椅子の形態を取る多機能家具の技術がある。（例えば、特許文献１）、【０００３】  また椅子の一対とこの椅子とともに使用するテーブルとからなる３点セットの家具をベッドとして容易に転換できる家具セットの技術がある。（例えば、特許文献２）、
【先行技術文献】
【０００４】
【特許文献１】特開２００４−３３７４１０
【発明の概要】
【発明が解決しようとする課題】
【０００５】  特開２００４−３３７４１０公報における技術は、椅子の一対とこの椅子とともに使用するテーブルとからなる３点セットの家具をベッドに容易に転換できる家具セットの技術がある。【０００６】  しかしこの技術は、二つの椅子と一つのテーブルで成る家具セットの組み合わせによって一つのシングルベッドを作るだけであって、しかもその変換作業は複雑である。またベッドの使用時には、テーブルのフレームと天板が不要のため別に置場を必要とする。加えて、３点セットの使用時は幅広の椅子にも関わらず各１名しか座れないとともに、ベッドに使用する際は、テーブルをベッドの一部として使用しなければならないなどの不便や欠点がある技術であった。
【課題を解決するための手段】
【０００７】  本発明は、前記の不便や欠点を解消するために、請求項１においては、人が余裕を持って横たわれる長さと幅を有する座板の下部の両側面と背面側を側板で覆ってコの字状を成す基台とし、該基台の内側左右の側板下部に補強棒を取り付けて成る内側中ほどに仕切板を取り付けるとともに、その仕切板前部と、基台内側両面の側板前部のそれぞれに引き出し支持板を取り付けて成る基台を形成し、該基台の長手方向の両側外面の側板の手前と後に肘掛け付き支持板を取り付けるとともに、前記支持板と対向する側の支持板に、複数本の支軸板上端部に背板を設けた背板体を形成し、該背板体を、前記する左右の支持板に取り付けるとともに、前記基台の下部開放部左右に、下面前部にキャスターを取り付けた二つの引き出しを出し入れ自在に収めて成る多目的家具とする。【０００８】  請求項２においては、前記する引き出しの両側面と、それに対向する基台の側板内側と仕切板左右に一組の引き出しレールを取り付け多目的家具とする。【０００９】  請求項３においては、前記する複数本の支軸板を、連結棒で繋いで成る多目的家具とする。
【発明の効果】
【００１０】  本発明による多目的家具は、数人が同時に腰掛けられる幅広のソファーの下に単独に出し入れできる二つの引き出しを備えているので、通常の引き出し収納部付きソファーとして衣類や小物を収納することもできる機能的なソファーとして使える。【００１１】  さらに必要な時は、引き出しを引き出してから専用のパネル４枚を引き出しの開放部にセットすると、前記のソファーの座面と同じ高さになるので、ここに敷き布団を敷くだけで極めて簡単にベッドとして使えるとともに、一方の引き出しのみ引き出してからパネル二枚を置くと、Ｌ字状を成す簡易なソファー又はテーブルとしても使えるユニークな多目的家具となる。【００１２】  加えて、その構成はシンプルであるので組み立て易く、かつ製造コストも安価に提供できる多目的家具を提供できる。
【図面の簡単な説明】
【００１３】
【図１】本発明による多目的家具の実施形態を示す、ソファー本体の斜視図である。
【図２】本発明による多目的家具のソファー本体を示す正面図である。
【図３】本発明による多目的家具のソファー本体を示す背面図である。
【図４】多目的家具のソファー本体の引き出し部の前板を除いた要部を示す断面図である。
【図５】ソファー本体の引き出しを引き出した状態を示す平面図である。
【図６】多目的家具のソファー本体の側面図で（イ）図は側面図であり、（ロ）図は引き出しを引き出した状態を示す一部断面図である。
【図７】多目的家具のソファー本体の底面要部を示す斜視図である。
【図８】多目的家具のソファー本体をベッドに組み立てる分解斜視図である。
【図９】多目的家具のソファー本体をベッドに組み立てた状態を示す斜視図である。
【発明を実施するための形態】
【００１４】  本発明の多目的家具の実施形態を、図１に示す斜視図と図２に示す正面図、図３に示す背面図及び図４に示すソファーの前部を示す断面図、図５の引き出しを開けた状態の平面図、図６に示すソファー本体の底面を示す斜視図、図７に示すベッド組立状態を示す参考図、図８に示すベッド組み立てた状態の参考図で説明する。
【００１５】  本発明の多目的家具１におけるソファー本体２の長さは、人が余裕を持って横たわれる長さとする約２１００ｍｍとし、その幅は通常のソファーと同程度の約６２０ｍｍで、座面の高さは約３５０ｍｍ程度の大きさを成す基台３を形成し、その基台３の奥には高さ約４３０ｍｍ程度の背板体１４部材を備え、かつ左右には高さ約２００ｍｍほどの肘掛け５部材を設けた基台３下部に、出し入れ自在の二つの引き出し６を有するソファー本体２を形成する。
【００１６】  以下、順を追って詳述する。前記するソファー本体２における座板７は、その下部の両側面と背面部は所定の大きさの３枚の側板８，８，８でコの字状に覆った基台３とし、その前側と底面は開放して成る前記基台３の左右の側板８，８の下端部を、図７に示すように補強棒９で連結して内部が空洞の基台３を形成する。次にその基台３の外側左右の前後に、下端部から垂直に立つ二枚の支持板１０，１０を位置するとともに、その支持板１０上部寄りに、前記基台３の高さと略同じ部位に、前後二つの支持板１０，１０を連結板１１で繋いで成る前記支持板１０，１０上部に肘掛け５，５を取り付けた部材を前記する基台３の両側面に取り付ける。
【００１７】  次に、前記基台３の奥側左右の支持板１０，１０には、高さ約３３０ｍｍで内側を上方を傾斜させた支軸板１２，１２を長手方向の左右に位置するとともに、その支軸板１２，１２と中ほどに位置した支軸板１２それぞれを上下二本の連結棒１３で繋いで成る支軸板１２，１２上部に背板４を取り付けた背板体１４を形成し、その背板体１４を前記する基台３の奥と左右の支持板１０，０に取り付けて成るソファー本体２を形成する。
【００１８】  以上のように形成したソファー本体２の下面の左右中ほどには、図７に示すように設けた補強棒９と面一となる仕切板１５を設け、その左右に同じ大きさの二つの引き出し６，６を出し入れ自在とするが、その引き出し６がスムーズにして一定長で止められる三段引きの引き出しレール１６の根元側を、前記する仕切板１５の左右及び両サイドの側板８，８面の補強棒９寄りに、それぞれ二枚が対向するように合わせて計４本の引き出しレール１６取り付ける。尚、図７に示す引き出しレール１６は短いが、これに係合して伸縮する他方の引き出し６側に取り付ける引き出しレール６部分は省略している。さらに前記補強棒９から開放側の両側及び仕切板１５の左右には、この開放部に出し入れする引き出し６，６の下部に取り付けたキャスター１７と同じ高さを維持する引き出し支持板１８，１８を取り付けている。
【００１９】  以上のように形成したソファー本体２の前記する開放口には、二つの引き出し６，６を組み合わせるが、その引き出し６の前板１９は基台３面と同じ高さで、かつその前板１９の内側及び左右と奥の板と底板による箱体を引き出し６とするとともに、その引き出し６の奥側には、この上に載せるパネル２０又はテーブルを支えるために、二つの引き出し６，６の両側に掛け渡せる長さの支持受け棒２１を収めるための保持穴２２を、各２か所、計４か所設けて成る引き出し６とし、その引き出し６の両側下部には、前記する基台３の内側左右と仕切板１４の左右の計４か所に設けた引き出しレール１６に係合する他方を、引き出し６側にき出しレール１６端部を取り付けた引き出し６を組み合わせて成るソファーをベースとする多目的家具１を構成する。
【００２０】  本発明による多目的家具１は以上のような構成であるので、以下のような作用効果を成す。前部が開放された基台３の両側にひじ掛け５付き支持板１０を取り付けるとともに、その対向する二つの支持板１０，１０に背板４付き背板体１４を取り付けて成る前記基台３開放部に、出し入れ自在で、かつ一定の長さで止められる引き出しレール１８付き引き出し６，６を二つ収めているので、衣服や小物を収納できるソファー本体２を形成するので、通常は２〜３人が腰掛けられるソファーとして使える。
【００２１】  さらに前記する引き出し６を引き出すと、引き出しレール１６により所定の長さで止められるので、その引き出し６，６の上に設けた保持穴２２に、引き出し６の両端部に掛け渡せる長さの支持棒２１を収めてから、所定の大きさのパネル２０，２０を４枚置くと、前記のソファー本体の２の座板７面と同じ高さになるので、その上に敷布団を敷くと容易にベッドに組み立てて使える多目的家具１を形成する。
【００２２】  本発明による多目的家具１のソファー本体２は、座板７含めて全体を木材で形成したものを図示しているが、座板７面にはマットやクッションを敷いたり、固定しても差し支えないものである。さらに、引き出し６には安定してスライドするための三段の引き出しレール１６を採用しているが、他のレールを採用しても構わす、いずれも特に限定するものではない。
【符号の説明】
【００２３】１  多目的家具
２  ソファー本体
３  基台
４  背板
５  肘掛け
６  引き出し
７  座板
８  側板
９  補強棒
１０  支持板
１１  連結板
１２  支軸板
１３  連結棒
１４  背板体
１５  仕切板
１６  引き出しレール
１７  キャスター
１８  引き出し支持板
１９  前板
２０  パネル
２１  支持棒
２２  保持穴
【図１】
2012081234.tif 000003
【図２】
2012081234.tif 000004
【図３】
2012081234.tif 000005
【図４】
2012081234.tif 000006
【図５】
2012081234.tif 000007
【図６】
2012081234.tif 000008
【図７】
2012081234.tif 000009
【図８】
2012081234.tif 000010
【図９】
2012081234.tif 000011